【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
画像データを無線送信する端末を送信端末、画像データを無線受信する端末を受信端末、前記送信端末及び前記受信端末の無線通信接続相手の切替を指示するデバイスを接続切替デバイス、とするとき、複数の前記送信端末と、複数の前記受信端末と、少なくとも１つの前記接続切替デバイスと、を有する無線通信システムであって、
前記送信端末と有線接続され、前記送信端末の識別情報を表示する第１表示デバイスと、
前記受信端末と有線接続され、前記受信端末の識別情報を表示する第２表示デバイスと、
を有し、
前記接続切替デバイスは、
前記送信端末の識別情報及び前記受信端末の識別情報を決定する制御部と、
前記決定した前記送信端末の識別情報を前記送信端末に、前記決定した前記受信端末の識別情報を前記受信端末に、それぞれ無線送信する無線通信部と、
前記受信端末と通信中の前記送信端末の識別情報、前記送信端末と通信中の前記受信端末の識別情報、及び、前記画像データがどの前記送信端末からどの前記受信端末に無線送信されているかを示す情報を表示する表示部と、
を有し、
前記第１表示デバイスは、前記接続切替デバイスから無線送信され、前記送信端末で無線受信された前記送信端末の識別情報を表示し、
前記第２表示デバイスは、前記接続切替デバイスから無線送信され、前記受信端末で無線受信された前記受信端末の識別情報を表示する
無線通信システム。
【請求項２】
前記接続切替デバイスの前記無線通信部は、前記送信端末に対して、当該送信端末と通信中の前記受信端末の識別情報を無線送信し、前記受信端末に対して、当該受信端末と通信中の前記送信端末の識別情報を無線送信し、
前記第１表示デバイスは、前記接続切替デバイスの前記無線通信部から無線送信され、前記送信端末で無線受信された前記受信端末の識別情報を表示し、
前記第２表示デバイスは、前記接続切替デバイスの前記無線通信部から無線送信され、前記受信端末で無線受信された前記送信端末の識別情報を表示する
請求項１に記載の無線通信システム。
【請求項３】
前記接続切替デバイスの前記制御部は、前記送信端末及び前記受信端末を探索する探索処理を実行し、前記探索処理の結果に応じて、前記送信端末の識別情報及び前記受信端末の識別情報を更新し、
前記接続切替デバイスの前記無線通信部は、前記更新された前記送信端末の識別情報及び前記受信端末の識別情報を、前記送信端末及び前記受信端末に無線送信する
請求項１に記載の無線通信システム。
【請求項４】
前記接続切替デバイスの前記制御部は、前記接続切替デバイスの前記表示部に表示する前記画像データがどの前記送信端末からどの前記受信端末に無線送信されているかを示す情報を更新する
請求項１に記載の無線通信システム。
【請求項５】
前記送信端末又は前記受信端末は、前記接続切替デバイスに、前記送信端末の識別情報又は前記受信端末の識別情報が更新されたか否かを確認する情報更新要求信号を無線送信する
請求項１に記載の無線通信システム。
【請求項６】
画像データを無線送信する端末を送信端末、画像データを無線受信する端末を受信端末とするとき、前記送信端末及び前記受信端末の無線通信接続相手の切替を指示する接続切替デバイスであって、
前記送信端末の識別情報及び前記受信端末の識別情報を決定する制御部と、
前記決定した前記送信端末の識別情報を前記送信端末に、前記決定した前記受信端末の識別情報を前記受信端末に、それぞれ無線送信する無線通信部と、
前記受信端末と通信中の前記送信端末の識別情報、前記送信端末と通信中の前記受信端末の識別情報、及び、前記画像データがどの前記送信端末からどの前記受信端末に無線送信されているかを示す情報を表示する表示部と、
を有する接続切替デバイス。
【請求項７】
前記無線通信部は、前記送信端末に対して、当該送信端末と通信中の前記受信端末の識別情報を無線送信し、前記受信端末に対して、当該受信端末と通信中の前記送信端末の識別情報を無線送信する
請求項６に記載の接続切替デバイス。
【請求項８】
前記制御部は、前記送信端末及び前記受信端末を探索する探索処理を実行し、前記探索処理の結果に応じて、前記送信端末の識別情報及び前記受信端末の識別情報を更新し、
前記無線通信部は、前記更新された前記送信端末の識別情報及び前記受信端末の識別情報を、前記送信端末及び前記受信端末に無線送信する
請求項６に記載の接続切替デバイス。
【請求項９】
前記制御部は、前記接続切替デバイスに表示する前記画像データがどの前記送信端末からどの前記受信端末に無線送信されているかを示す情報を更新する
請求項６に記載の接続切替デバイス。
【請求項１０】
前記無線通信部は、前記送信端末又は前記受信端末から、前記送信端末の識別情報又は前記受信端末の識別情報が更新されたか否かを確認する情報更新要求信号を無線受信する
請求項６に記載の接続切替デバイス。
【請求項１１】
画像データを無線送信する端末を送信端末、画像データを無線受信する端末を受信端末、前記送信端末及び前記受信端末の無線通信接続相手の切替を指示するデバイスを接続切替デバイス、とするときの受信端末であって、
前記受信端末の識別情報を表示する表示デバイスと有線接続する制御部と、
前記接続切替デバイスから、前記受信端末の識別情報及び当該受信端末と通信中の前記送信端末の識別情報を受信する無線通信部と、
を有し、
前記制御部は、前記無線受信した、前記受信端末の識別情報、当該受信端末と通信中の前記送信端末の識別情報及び前記画像データがどの前記送信端末から無線送信されているかを示す情報を前記表示デバイスに表示させる制御を行う、
受信端末。
【請求項１２】
前記無線通信部は、前記接続切替デバイスに、前記送信端末の識別情報又は前記受信端末の識別情報が更新されたか否かを確認する情報更新要求信号を無線送信する
請求項１１に記載の受信端末。
【請求項１３】
画像データを無線送信する端末を送信端末、画像データを無線受信する端末を受信端末、前記送信端末及び前記受信端末の無線通信接続相手の切替を指示するデバイスを接続切替デバイス、とするときの送信端末であって、
前記送信端末の識別情報を表示する表示デバイスと有線接続する制御部と、
前記接続切替デバイスから、前記送信端末の識別情報及び当該送信端末と通信中の前記受信端末の識別情報を受信する無線通信部と、
を有し、
前記制御部は、前記無線受信した、前記送信端末の識別情報、当該送信端末と通信中の前記受信端末の識別情報及び前記画像データがどの前記受信端末に無線送信されているかを示す情報を前記表示デバイスに表示させる制御を行う、
送信端末。
【請求項１４】
前記無線通信部は、前記接続切替デバイスに、前記送信端末の識別情報又は前記受信端末の識別情報が更新されたか否かを確認する情報更新要求信号を無線送信する
請求項１３に記載の送信端末。
【請求項１５】
画像データを無線送信する端末を送信端末、画像データを無線受信する端末を受信端末、とするとき、複数の前記送信端末と、複数の前記受信端末と、を有する無線通信システムであって、
前記送信端末と有線接続され、前記送信端末の識別情報を表示する第１表示デバイスと、
前記受信端末と有線接続され、前記受信端末の識別情報を表示する第２表示デバイスと、
を有し、
複数の前記送信端末のうち１つの送信端末を第１送信端末とし、複数の前記送信端末のうち前記第１送信端末以外の送信端末を第２送信端末とするとき、
前記第１送信端末は、
前記第１送信端末の識別情報、前記第２送信端末の識別情報及び前記受信端末の識別情報を決定する制御部と、
前記決定した前記第２送信端末の識別情報及び当該第２送信端末と通信中の前記受信端末の識別情報を前記第２送信端末に、前記決定した前記受信端末の識別情報、並びに、前記第１送信端末及び前記第２送信端末とのうち当該受信端末と通信中の前記送信端末の識別情報を前記受信端末に、それぞれ無線送信する無線通信部と、
を有し、
前記第１送信端末と有線接続されている前記第１表示デバイスは、前記第１送信端末から取得した前記第１送信端末の識別情報を表示し、
前記第２送信端末に有線接続されている前記第１表示デバイスは、前記第１送信端末から無線送信され、前記第２送信端末に無線受信された、前記第２送信端末の識別情報、当該第２送信端末と通信中の前記受信端末の識別情報及び前記画像データがどの前記受信端末に無線送信されていることを示す情報を表示し、又は、前記第２表示デバイスは、前記第１送信端末から無線送信され、前記受信端末で無線受信された、前記受信端末の識別情報、前記第１送信端末及び前記第２送信端末とのうち当該受信端末と通信中の前記送信端末の識別情報、並びに、前記第１送信端末及び前記第２送信端末とのうち前記画像データがどの前記送信端末から無線送信されていることを示す情報を表示する
無線通信システム。
【請求項１６】
前記第１送信端末の前記制御部は、前記送信端末及び前記受信端末を探索する探索処理を実行し、前記探索処理の結果に応じて、前記送信端末の識別情報及び前記受信端末の識別情報を更新し、
前記第１送信端末の前記無線通信部は、前記更新された前記送信端末の識別情報及び前記受信端末の識別情報を、前記第２送信端末及び前記受信端末に無線送信する
請求項１５に記載の無線通信システム。
【請求項１７】
前記送信端末は、前記第１送信端末が存在するか否かを判定し、前記第１送信端末が存在しないと判定した場合に、前記第１送信端末となり、前記第１送信端末が存在すると判定した場合に、前記第２送信端末となる
請求項１５に記載の無線通信システム。
【請求項１８】
画像データを無線送信する端末を送信端末、画像データを無線受信する端末を受信端末とするとき、の前記受信端末であって、
前記受信端末の識別情報を表示する表示デバイスと有線接続する制御部と、
前記受信端末の識別情報及び前記受信端末と通信中の前記送信端末の識別情報を、前記送信端末から、無線受信する無線通信部と、
を有し、
前記制御部は、前記無線受信した、前記受信端末の識別情報、前記受信端末と通信中の前記送信端末の識別情報及び前記画像データがどの前記送信端末から無線送信されているかを示す情報を前記表示デバイスに表示させる制御を行う、
受信端末。
【請求項１９】
画像データを無線送信する端末を送信端末、画像データを無線受信する端末を受信端末とするとき、の前記送信端末であって、
前記送信端末の識別情報を表示する表示デバイスと有線接続する制御部と、
前記送信端末の識別情報及び前記送信端末と通信中の前記受信端末の識別情報を、他の前記送信端末から、無線受信する無線通信部と、
を有し、
前記制御部は、前記無線受信した、前記送信端末の識別情報、前記送信端末と通信中の前記受信端末の識別情報及び前記画像データがどの前記受信端末に無線送信されているかを示す情報を前記表示デバイスに表示させる制御を行う、
送信端末。
【請求項２０】
画像データを無線送信する端末を送信端末、画像データを無線受信する端末を受信端末、とするときの無線通信方法であって、
前記送信端末の識別情報が表示される第１表示ステップと、
前記受信端末の識別情報が表示される第２表示ステップと、
前記送信端末の識別情報及び前記受信端末の識別情報が決定されるステップと、
前記決定された前記送信端末の識別情報が前記送信端末に、前記決定された前記受信端末の識別情報が前記受信端末に、それぞれ無線送信されるステップと、
前記受信端末と通信中の前記送信端末の識別情報、前記送信端末と通信中の前記受信端末の識別情報、及び、前記画像データがどの前記送信端末からどの前記受信端末に無線送信されているかを示す情報が表示されるステップと、
前記第１表示ステップでは、前記送信端末に無線送信された前記送信端末の識別情報が表示され、
前記第２表示ステップでは、前記受信端末に無線送信された前記受信端末の識別情報が表示される
無線通信方法。
【請求項２１】
画像データを無線送信する端末を送信端末、画像データを無線受信する端末を受信端末とするとき、前記送信端末及び前記受信端末の無線通信接続相手の切替を指示する接続切替デバイスの無線通信方法であって、
前記送信端末の識別情報及び前記受信端末の識別情報が決定される制御ステップと、
前記決定された前記送信端末の識別情報が前記送信端末に、前記決定された前記受信端末の識別情報が前記受信端末に、それぞれ無線送信される無線通信ステップと、
前記受信端末と通信中の前記送信端末の識別情報、前記送信端末と通信中の前記受信端末の識別情報、及び、前記画像データがどの前記送信端末からどの前記受信端末に無線送信されているかを示す情報が表示される表示ステップと、
を有する無線通信方法。
【請求項２２】
画像データを無線送信する端末を送信端末、画像データを無線受信する端末を受信端末、とするときの無線通信方法であって、
前記送信端末の識別情報が表示される第１表示ステップと、
前記受信端末の識別情報が表示される第２表示ステップと、
複数の前記送信端末のうち１つの送信端末を第１送信端末とし、複数の前記送信端末のうち前記第１送信端末以外の送信端末を第２送信端末とするとき、
前記第１送信端末によって、前記第１送信端末の識別情報、前記第２送信端末の識別情報及び前記受信端末の識別情報が決定されるステップと、
前記決定された前記第２送信端末の識別情報及び当該第２送信端末と通信中の前記受信端末の識別情報が前記第２送信端末に、前記決定された前記受信端末の識別情報、並びに、前記第１送信端末及び前記第２送信端末とのうち当該受信端末と通信中の前記送信端末の識別情報が前記受信端末に、それぞれ無線送信されるステップと、
前記第１表示ステップでは、前記第１送信端末から取得された前記第１送信端末の識別情報が表示され、
前記第１表示ステップでは、前記第１送信端末から無線送信され、前記第２送信端末に無線受信された、前記第２送信端末の識別情報、当該第２送信端末と通信中の前記受信端末の識別情報及び前記画像データがどの前記受信端末に無線送信されていることを示す情報が表示され、又は、前記第２表示ステップでは、前記第１送信端末から無線送信され、前記受信端末で無線受信された、前記受信端末の識別情報、前記第１送信端末及び前記第２送信端末とのうち当該受信端末と通信中の前記送信端末の識別情報、並びに、前記第１送信端末及び前記第２送信端末とのうち前記画像データがどの前記送信端末から無線送信されていることを示す情報が表示される
無線通信方法。
【手続補正２】
【補正対象書類名】明細書
【補正対象項目名】発明の名称
【補正方法】変更
【補正の内容】
【発明の名称】接続切替デバイス、送信端末、受信端末、無線通信システムおよび無線通信方法
【手続補正３】
【補正対象書類名】明細書
【補正対象項目名】０００１
【補正方法】変更
【補正の内容】
【０００１】
本発明は、接続切替デバイス、送信端末、受信端末、無線通信システムおよび無線通信方法に関する。
【手続補正４】
【補正対象書類名】明細書
【補正対象項目名】０００５
【補正方法】変更
【補正の内容】
【０００５】
本発明は、上記の問題を解決するためになされたものであり、無線通信の接続関係を容易に把握することができる接続切替デバイス、送信端末、受信端末、無線通信システムおよび無線通信方法を提供することを目的とする。
【手続補正５】
【補正対象書類名】明細書
【補正対象項目名】０００６
【補正方法】変更
【補正の内容】
【０００６】
本発明は、画像データを無線送信する端末を送信端末、画像データを無線受信する端末を受信端末、前記送信端末及び前記受信端末の無線通信接続相手の切替を指示するデバイスを接続切替デバイス、とするとき、複数の前記送信端末と、複数の前記受信端末と、少なくとも１つの前記接続切替デバイスと、を有する無線通信システムであって、前記送信端末と有線接続され、前記送信端末の識別情報を表示する第１表示デバイスと、前記受信端末と有線接続され、前記受信端末の識別情報を表示する第２表示デバイスと、を有し、前記接続切替デバイスは、前記送信端末の識別情報及び前記受信端末の識別情報を決定する制御部と、前記決定した前記送信端末の識別情報を前記送信端末に、前記決定した前記受信端末の識別情報を前記受信端末に、それぞれ無線送信する無線通信部と、前記受信端末と通信中の前記送信端末の識別情報、前記送信端末と通信中の前記受信端末の識別情報、及び、前記画像データがどの前記送信端末からどの前記受信端末に無線送信されているかを示す情報を表示する表示部と、を有し、前記第１表示デバイスは、前記接続切替デバイスから無線送信され、前記送信端末で無線受信された前記送信端末の識別情報を表示し、前記第２表示デバイスは、前記接続切替デバイスから無線送信され、前記受信端末で無線受信された前記受信端末の識別情報を表示する無線通信システムである。
【手続補正６】
【補正対象書類名】明細書
【補正対象項目名】０００７
【補正方法】変更
【補正の内容】
【０００７】
また、本発明の無線通信システムにおいて、前記接続切替デバイスの前記無線通信部は、前記送信端末に対して、当該送信端末と通信中の前記受信端末の識別情報を無線送信し、前記受信端末に対して、当該受信端末と通信中の前記送信端末の識別情報を無線送信し、前記第１表示デバイスは、前記接続切替デバイスの前記無線通信部から無線送信され、前記送信端末で無線受信された前記受信端末の識別情報を表示し、前記第２表示デバイスは、前記接続切替デバイスの前記無線通信部から無線送信され、前記受信端末で無線受信された前記送信端末の識別情報を表示する。
また、本発明の無線通信システムにおいて、前記接続切替デバイスの前記制御部は、前記送信端末及び前記受信端末を探索する探索処理を実行し、前記探索処理の結果に応じて、前記送信端末の識別情報及び前記受信端末の識別情報を更新し、前記接続切替デバイスの前記無線通信部は、前記更新された前記送信端末の識別情報及び前記受信端末の識別情報を、前記送信端末及び前記受信端末に無線送信する。
また、本発明の無線通信システムにおいて、前記接続切替デバイスの前記制御部は、前記接続切替デバイスの前記表示部に表示する前記画像データがどの前記送信端末からどの前記受信端末に無線送信されているかを示す情報を更新する。
また、本発明の無線通信システムにおいて、前記送信端末又は前記受信端末は、前記接続切替デバイスに、前記送信端末の識別情報又は前記受信端末の識別情報が更新されたか否かを確認する情報更新要求信号を無線送信する。
【手続補正７】
【補正対象書類名】明細書
【補正対象項目名】０００８
【補正方法】変更
【補正の内容】
【０００８】
また、本発明は、
画像データを無線送信する端末を送信端末、画像データを無線受信する端末を受信端末とするとき、前記送信端末及び前記受信端末の無線通信接続相手の切替を指示する接続切替デバイスであって、前記送信端末の識別情報及び前記受信端末の識別情報を決定する制御部と、前記決定した前記送信端末の識別情報を前記送信端末に、前記決定した前記受信端末の識別情報を前記受信端末に、それぞれ無線送信する無線通信部と、前記受信端末と通信中の前記送信端末の識別情報、前記送信端末と通信中の前記受信端末の識別情報、及び、前記画像データがどの前記送信端末からどの前記受信端末に無線送信されているかを示す情報を表示する表示部と、を有する接続切替デバイスである。
また、本発明の接続切替デバイスにおいて、前記無線通信部は、前記送信端末に対して、当該送信端末と通信中の前記受信端末の識別情報を無線送信し、前記受信端末に対して、当該受信端末と通信中の前記送信端末の識別情報を無線送信する。
また、本発明の接続切替デバイスにおいて、前記制御部は、前記送信端末及び前記受信端末を探索する探索処理を実行し、前記探索処理の結果に応じて、前記送信端末の識別情報及び前記受信端末の識別情報を更新し、前記無線通信部は、前記更新された前記送信端末の識別情報及び前記受信端末の識別情報を、前記送信端末及び前記受信端末に無線送信する。
また、本発明の接続切替デバイスにおいて、前記制御部は、前記接続切替デバイスに表示する前記画像データがどの前記送信端末からどの前記受信端末に無線送信されているかを示す情報を更新する。
また、本発明の接続切替デバイスにおいて、前記無線通信部は、前記送信端末又は前記受信端末から、前記送信端末の識別情報又は前記受信端末の識別情報が更新されたか否かを確認する情報更新要求信号を無線受信する。
【手続補正８】
【補正対象書類名】明細書
【補正対象項目名】０００９
【補正方法】変更
【補正の内容】
【０００９】
また、本発明は、
画像データを無線送信する端末を送信端末、画像データを無線受信する端末を受信端末、前記送信端末及び前記受信端末の無線通信接続相手の切替を指示するデバイスを接続切替デバイス、とするときの受信端末であって、前記受信端末の識別情報を表示する表示デバイスと有線接続する制御部と、前記接続切替デバイスから、前記受信端末の識別情報及び当該受信端末と通信中の前記送信端末の識別情報を受信する無線通信部と、を有し、前記制御部は、前記無線受信した、前記受信端末の識別情報、当該受信端末と通信中の前記送信端末の識別情報及び前記画像データがどの前記送信端末から無線送信されているかを示す情報を前記表示デバイスに表示させる制御を行う、受信端末である。
また、本発明の受信端末において、前記無線通信部は、前記接続切替デバイスに、前記送信端末の識別情報又は前記受信端末の識別情報が更新されたか否かを確認する情報更新要求信号を無線送信する。
【手続補正９】
【補正対象書類名】明細書
【補正対象項目名】００１０
【補正方法】変更
【補正の内容】
【００１０】
また、本発明は、画像データを無線送信する端末を送信端末、画像データを無線受信する端末を受信端末、前記送信端末及び前記受信端末の無線通信接続相手の切替を指示するデバイスを接続切替デバイス、とするときの送信端末であって、前記送信端末の識別情報を表示する表示デバイスと有線接続する制御部と、前記接続切替デバイスから、前記送信端末の識別情報及び当該送信端末と通信中の前記受信端末の識別情報を受信する無線通信部と、を有し、前記制御部は、前記無線受信した、前記送信端末の識別情報、当該送信端末と通信中の前記受信端末の識別情報及び前記画像データがどの前記受信端末に無線送信されているかを示す情報を前記表示デバイスに表示させる制御を行う、送信端末である。
また、本発明の送信端末において、前記無線通信部は、前記接続切替デバイスに、前記送信端末の識別情報又は前記受信端末の識別情報が更新されたか否かを確認する情報更新要求信号を無線送信する。
【手続補正１０】
【補正対象書類名】明細書
【補正対象項目名】００１１
【補正方法】変更
【補正の内容】
【００１１】
また、本発明は、画像データを無線送信する端末を送信端末、画像データを無線受信する端末を受信端末、とするとき、複数の前記送信端末と、複数の前記受信端末と、を有する無線通信システムであって、前記送信端末と有線接続され、前記送信端末の識別情報を表示する第１表示デバイスと、前記受信端末と有線接続され、前記受信端末の識別情報を表示する第２表示デバイスと、を有し、複数の前記送信端末のうち１つの送信端末を第１送信端末とし、複数の前記送信端末のうち前記第１送信端末以外の送信端末を第２送信端末とするとき、前記第１送信端末は、前記第１送信端末の識別情報、前記第２送信端末の識別情報及び前記受信端末の識別情報を決定する制御部と、前記決定した前記第２送信端末の識別情報及び当該第２送信端末と通信中の前記受信端末の識別情報を前記第２送信端末に、前記決定した前記受信端末の識別情報、並びに、前記第１送信端末及び前記第２送信端末とのうち当該受信端末と通信中の前記送信端末の識別情報を前記受信端末に、それぞれ無線送信する無線通信部と、を有し、前記第１送信端末と有線接続されている前記第１表示デバイスは、前記第１送信端末から取得した前記第１送信端末の識別情報を表示し、前記第２送信端末に有線接続されている前記第１表示デバイスは、前記第１送信端末から無線送信され、前記第２送信端末に無線受信された、前記第２送信端末の識別情報、当該第２送信端末と通信中の前記受信端末の識別情報及び前記画像データがどの前記受信端末に無線送信されていることを示す情報を表示し、又は、前記第２表示デバイスは、前記第１送信端末から無線送信され、前記受信端末で無線受信された、前記受信端末の識別情報、前記第１送信端末及び前記第２送信端末とのうち当該受信端末と通信中の前記送信端末の識別情報、並びに、前記第１送信端末及び前記第２送信端末とのうち前記画像データがどの前記送信端末から無線送信されていることを示す情報を表示する無線通信システムである。
また、本発明の無線通信システムにおいて、前記第１送信端末の前記制御部は、前記送信端末及び前記受信端末を探索する探索処理を実行し、前記探索処理の結果に応じて、前記送信端末の識別情報及び前記受信端末の識別情報を更新し、前記第１送信端末の前記無線通信部は、前記更新された前記送信端末の識別情報及び前記受信端末の識別情報を、前記第２送信端末及び前記受信端末に無線送信する。
また、本発明の無線通信システムにおいて、前記送信端末は、前記第１送信端末が存在するか否かを判定し、前記第１送信端末が存在しないと判定した場合に、前記第１送信端末となり、前記第１送信端末が存在すると判定した場合に、前記第２送信端末となる。
【手続補正１１】
【補正対象書類名】明細書
【補正対象項目名】００１２
【補正方法】変更
【補正の内容】
【００１２】
また、本発明は、画像データを無線送信する端末を送信端末、画像データを無線受信する端末を受信端末とするとき、の前記受信端末であって、前記受信端末の識別情報を表示する表示デバイスと有線接続する制御部と、前記受信端末の識別情報及び前記受信端末と通信中の前記送信端末の識別情報を、前記送信端末から、無線受信する無線通信部と、を有し、前記制御部は、前記無線受信した、前記受信端末の識別情報、前記受信端末と通信中の前記送信端末の識別情報及び前記画像データがどの前記送信端末から無線送信されているかを示す情報を前記表示デバイスに表示させる制御を行う、受信端末である。
また、本発明は、画像データを無線送信する端末を送信端末、画像データを無線受信する端末を受信端末とするとき、の前記送信端末であって、前記送信端末の識別情報を表示する表示デバイスと有線接続する制御部と、前記送信端末の識別情報及び前記送信端末と通信中の前記受信端末の識別情報を、他の前記送信端末から、無線受信する無線通信部と、を有し、前記制御部は、前記無線受信した、前記送信端末の識別情報、前記送信端末と通信中の前記受信端末の識別情報及び前記画像データがどの前記受信端末に無線送信されているかを示す情報を前記表示デバイスに表示させる制御を行う、送信端末である。
【手続補正１２】
【補正対象書類名】明細書
【補正対象項目名】００１３
【補正方法】変更
【補正の内容】
【００１３】
また、本発明は、画像データを無線送信する端末を送信端末、画像データを無線受信する端末を受信端末、とするときの無線通信方法であって、前記送信端末の識別情報が表示される第１表示ステップと、前記受信端末の識別情報が表示される第２表示ステップと、前記送信端末の識別情報及び前記受信端末の識別情報が決定されるステップと、前記決定された前記送信端末の識別情報が前記送信端末に、前記決定された前記受信端末の識別情報が前記受信端末に、それぞれ無線送信されるステップと、前記受信端末と通信中の前記送信端末の識別情報、前記送信端末と通信中の前記受信端末の識別情報、及び、前記画像データがどの前記送信端末からどの前記受信端末に無線送信されているかを示す情報が表示されるステップと、前記第１表示ステップでは、前記送信端末に無線送信された前記送信端末の識別情報が表示され、前記第２表示ステップでは、前記受信端末に無線送信された前記受信端末の識別情報が表示される無線通信方法である。
【手続補正１３】
【補正対象書類名】明細書
【補正対象項目名】００１４
【補正方法】変更
【補正の内容】
【００１４】
また、本発明は、画像データを無線送信する端末を送信端末、画像データを無線受信する端末を受信端末とするとき、前記送信端末及び前記受信端末の無線通信接続相手の切替を指示する接続切替デバイスの無線通信方法であって、前記送信端末の識別情報及び前記受信端末の識別情報が決定される制御ステップと、前記決定された前記送信端末の識別情報が前記送信端末に、前記決定された前記受信端末の識別情報が前記受信端末に、それぞれ無線送信される無線通信ステップと、前記受信端末と通信中の前記送信端末の識別情報、前記送信端末と通信中の前記受信端末の識別情報、及び、前記画像データがどの前記送信端末からどの前記受信端末に無線送信されているかを示す情報が表示される表示ステップと、を有する無線通信方法である。
また、本発明は、画像データを無線送信する端末を送信端末、画像データを無線受信する端末を受信端末、とするときの無線通信方法であって、前記送信端末の識別情報が表示される第１表示ステップと、前記受信端末の識別情報が表示される第２表示ステップと、複数の前記送信端末のうち１つの送信端末を第１送信端末とし、複数の前記送信端末のうち前記第１送信端末以外の送信端末を第２送信端末とするとき、前記第１送信端末によって、前記第１送信端末の識別情報、前記第２送信端末の識別情報及び前記受信端末の識別情報が決定されるステップと、前記決定された前記第２送信端末の識別情報及び当該第２送信端末と通信中の前記受信端末の識別情報が前記第２送信端末に、前記決定された前記受信端末の識別情報、並びに、前記第１送信端末及び前記第２送信端末とのうち当該受信端末と通信中の前記送信端末の識別情報が前記受信端末に、それぞれ無線送信されるステップと、前記第１表示ステップでは、前記第１送信端末から取得された前記第１送信端末の識別情報が表示され、前記第１表示ステップでは、前記第１送信端末から無線送信され、前記第２送信端末に無線受信された、前記第２送信端末の識別情報、当該第２送信端末と通信中の前記受信端末の識別情報及び前記画像データがどの前記受信端末に無線送信されていることを示す情報が表示され、又は、前記第２表示ステップでは、前記第１送信端末から無線送信され、前記受信端末で無線受信された、前記受信端末の識別情報、前記第１送信端末及び前記第２送信端末とのうち当該受信端末と通信中の前記送信端末の識別情報、並びに、前記第１送信端末及び前記第２送信端末とのうち前記画像データがどの前記送信端末から無線送信されていることを示す情報が表示される無線通信方法である。
【手続補正１４】
【補正対象書類名】明細書
【補正対象項目名】００１５
【補正方法】変更
【補正の内容】
【００１５】
本発明の接続切替デバイス、送信端末、受信端末によれば、画像データを送受信する送信端末の送信端末識別情報と、受信端末の受信端末識別情報とが表示デバイスに表示されるため、無線通信の接続関係を容易に把握することができる。
【手続補正１５】
【補正対象書類名】明細書
【補正対象項目名】００１６
【補正方法】変更
【補正の内容】
【００１６】
また、本発明の無線通信システムによれば、画像データを送受信する通信デバイスの識別情報が表示デバイスに表示されるため、無線通信の接続関係を容易に把握することができる。また、本発明の無線通信方法によれば、画像データを送受信する通信デバイスの識別情報が表示デバイスに表示されるため、無線通信の接続関係を容易に把握することができる。